(57)【要約】【課題】隠蔽情報を隠蔽して往信時及び返信時の送付を可能とする往復はがきの隠蔽用ラベルを提供すること。【解決手段】すなわち本発明は、一度剥すと再度の貼合わせが一般的には事実上不可能な擬似接着剤層を二層有すること、剥離した後の擬似接着剤層への印字が可能なことに着目したもので、往信時及び返信時に隠蔽情報を被覆隠蔽して郵送可能な往復はがきの隠蔽用ラベルであって、前記隠蔽用ラベルは、往信時の隠蔽情報を被覆するフィルム層の裏面に接離可能な第一層目の擬似接着剤層を有する往信時被覆用ラベルと、前記往信時の隠蔽情報と返信時の隠蔽情報とを被覆隠蔽可能な基材層の下層に第二層目の擬似接着剤層と前記往信時被覆用ラベルに接着する強粘着剤層とを順次積層した返信時被覆用ラベルと、を有することを特徴とする隠蔽用ラベル。【選択図】        図１
2004322430.tif 000002
【特許請求の範囲】
【請求項１】
往信時及び返信時に隠蔽情報を被覆隠蔽して郵送可能な往復はがきの隠蔽用ラベルであって、
前記隠蔽用ラベルは、
往信時の隠蔽情報を被覆するフィルム層の裏面に接離可能な第一層目の擬似接着剤層を有する往信時被覆用ラベルと、
前記往信時の隠蔽情報と返信時の隠蔽情報とを被覆隠蔽可能な基材層の下層に第二層目の擬似接着剤層と前記往信時被覆用ラベルに接着する強粘着剤層とを順次積層した返信時被覆用ラベルと、
を有することを特徴とする隠蔽用ラベル。
【発明の詳細な説明】
【０００１】
【発明の属する技術分野】
本発明は往復はがきの隠蔽用ラベルに係るもので、特に隠蔽情報を被覆隠蔽して往信時及び返信時の郵送ができる往復はがきの隠蔽用ラベルに関するものである。
【０００２】
【従来の技術】
従来から保険会社や金融機関等（以下、差出人という）と契約者あるいは顧客（以下、宛名人という）との間では、第三者に見られては困る情報（以下、隠蔽情報という）を簡易、低コストで差出人が送付するには、目隠しシールなどの隠蔽用ラベルを隠蔽情報部分に貼付して通常はがきにて郵送していたが、宛名人がその隠蔽情報を確認して返信する場合や、新たな情報や修正後の情報を返信する場合には、差出人は往信時及び返信時の隠蔽情報部分に再剥離可能な単葉の隠蔽用ラベルかあるいは多層の隠蔽用ラベルを貼付して往復はがきで送付していた。
【０００３】
従来の隠蔽用ラベルについて図５及び図６にもとづき概説する。
図５は、隠蔽用ラベル１を往信用はがき５の往信時の隠蔽情報４部分に貼付した断面図である。
隠蔽用ラベル１は、下地の隠蔽性を有する隠蔽シート２と、その下面側に設けられた粘着剤層３とから構成されており、その粘着剤層３に用いられる粘着剤は再剥離可能なものが使用され、往復はがきでの往信時の隠蔽情報４を被覆隠蔽した隠蔽用ラベル１を剥離して、返信用はがきの返信時の隠蔽情報を被覆隠蔽して送付可能なものとしている。（例えば、特許文献１参照）
ここで、被覆とは、包んで覆うという意味で使用しており、被覆隠蔽とは、下地が見えないように包んで覆う意味で使用する。
【０００４】
また、図６は、前記同様、隠蔽用ラベル１０を往信用はがき１８の往信時の隠蔽情報１７部分に貼付した断面図である。
往信用はがき１８には、往信時の隠蔽情報１７が印刷されており、その上部に隠蔽用ラベル１０が接着され、その内容を隠蔽している。この隠蔽用ラベルは、上層から隠蔽シート１１、粘着剤層１２、樹脂シート１３、粘着剤層１４、樹脂シート１５、粘着剤層１６が順次積層された構成のものである。
隠蔽シート１１は、下地の隠蔽性を有するものであり、隠蔽シート１１の下層には、粘着剤層１２を有し、更にその下層には、下地の透過性を有する樹脂シート１３及び１５と、それぞれの下面側に設けられた粘着剤層１４及び１６とが積層されている。これらの積層された各層のうち、隠蔽シート１１下面側の粘着剤層１２と樹脂シート１３との間、及び粘着剤層１４と樹脂シート１５との間は、分離可能に形成されており、隠蔽シート１１下面側の粘着剤層１２と樹脂シート１３との結合力よりも、粘着剤層１４と樹脂シート１５との間の結合力の方が弱く設定されている。
このように構成された隠蔽用ラベル１０が付された往復はがきの往信時の隠蔽情報１７を宛名人が視認するには、隠蔽用ラベル１０下層に位置する粘着剤層１４と樹脂シート１５との間から剥離して、樹脂シート１５を介して視認する。
【０００５】
また、往信時の隠蔽情報１７を確認した宛名人は、返信用はがきに指定された返信時の隠蔽情報部分に隠蔽すべき返信内容を記載して、前記粘着剤層１４より分離して剥離した隠蔽用ラベル１０の上層側分割部を返信時の隠蔽情報部分に貼付し返信用はがきを郵送する。
次に、前記返信用はがきを受け取った往復はがきの差出人は、返信時の隠蔽情報を隠蔽シート１１下面の粘着剤層１２と樹脂シート１３との間から剥離し、返信はがきに残った樹脂シート１３及び粘着剤層１４の樹脂シート１３を介して返信はがきに記載された返信時の隠蔽情報を視認することができる。（例えば、特許文献２参照）
【０００６】
而して、図５における構成の隠蔽用ラベル１では、粘着剤層３に再剥離可能な弱粘着剤が使用されているため、往信時あるいは返信時の隠蔽情報を被覆隠蔽して送付可能であるが、第三者に不正に視認されたことがわかるようにはなっていないという問題がある。
【０００７】
また、図６における構成の隠蔽用ラベル１０では、往信時の隠蔽情報１７を被覆する樹脂シート１５が往信時の往復はがきに、また、返信時の隠蔽情報を被覆する樹脂シート１３が返信用はがきに残るため不正な書き変えができないという構成ではあるが、往信時の隠蔽情報部分に、追記、修正等して返信時の隠蔽情報部分とすることができず、はがきという限られた紙面において、往信時と返信時の隠蔽情報部分を異なる位置に設定しなければならないという問題がある。
【０００８】
【特許文献１】
特開平１１−１０８０号公報（図５）
【特許文献２】
実開平２−１２６８７１号公報（図６）
【０００９】
【発明が解決しようとする課題】
本発明は以上のような諸問題にかんがみなされたもので、隠蔽情報を不正に視認したことがわかるように痕跡を残すことを提供することを課題とする。
【００１０】
また、本発明は往信時と返信時の隠蔽情報を印字する部分を共通の位置とできる往復はがきの隠蔽用ラベルを提供することを課題とする。
【００１１】
【課題を解決するための手段】
すなわち本発明は、一度剥すと再度の貼合わせが一般的には事実上不可能な擬似接着剤層を二層有すること、剥離した後の擬似接着剤層への印字が可能なことに着目したもので、
往信時及び返信時に隠蔽情報を被覆隠蔽して郵送可能な往復はがきの隠蔽用ラベルであって、
前記隠蔽用ラベルは、
往信時の隠蔽情報を被覆するフィルム層の裏面に接離可能な第一層目の擬似接着剤層を有する往信時被覆用ラベルと、
前記往信時の隠蔽情報と返信時の隠蔽情報とを被覆隠蔽可能な基材層の下層に第二層目の擬似接着剤層と前記往信時被覆用ラベルに接着する強粘着剤層とを順次積層した返信時被覆用ラベルと、
を有することを特徴とする隠蔽用ラベル。
【００１２】
【発明の実施の形態】
つぎに本発明の実施の形態による隠蔽用ラベル２５を図１ないし図４に基づき説明する。ただし、図５ないし図６と同様の部分には同一符号を付し、その詳述はこれを省略する。
図１は、隠蔽用ラベル２５を往信時の往復はがき２０の隠蔽情報部分２４に擬似接着した平面図であって、
前記往復はがき２０は、往信用はがき２１と返信用はがき２２とが折線部２３により連接され、返信用はがき２２の裏面に設けられた伝達すべき隠蔽情報を記載するための隠蔽情報部分２４を被覆する隠蔽用ラベル２５が貼付されている。
【００１３】
図２は、図１のＡ−Ａ線の断面図であって、隠蔽用ラベル２５は、往信時被覆用ラベル４２と、返信時被覆用ラベル４１と、を有する。
前記往信時被覆用ラベル４２は、下層側に位置するものでフィルム層３４と、第一層目の擬似接着剤層３５と、を有する。
前記返信時被覆用ラベル４１は、上層側に位置するもので基材層３１と、第二層目の疑似接着剤層３２と、強粘着剤層３３と、を有する。
前記往信時被覆用ラベル４２の前記フィルム層３４は、ポリエチレンあるいはポリプロピレンなどの合成樹脂材からこれを構成し、第一層目の擬似接着剤層３５の上層に積層してある。
第一の疑似接着剤層３５は、ポリエチレン、エチレンビニルアルコールなどのホットメルト接着剤などからこれを構成し、透明であることが必要であり、貼合わせローラーなどによる加圧によって、往復はがき２０の隠蔽情報部分２４に接着する。
前記返信時被覆用ラベル４１における、隠蔽情報を不透過として視認不可能とする隠蔽機能を有する基材層３１は、例えば訂正用シール基材として市販されているアート紙又はキャスト紙の下面にグレー又は黒の印刷を施した基材であり、第二層目の擬似接着剤層３２は、前記第一層目の擬似接着剤層３５と同一の構成であるが、その材質に第一層目の擬似接着剤層よりも結合力の強い材質を多く含むこととし、その下層には強粘着剤層３３を有し、前記往信時被覆用ラベル４２に貼り付けてある。
【００１４】
このような構成としたため、往信時の往復はがき２０の隠蔽情報部分２４を被覆隠蔽して送付できる。
【００１５】
本発明の擬似接着剤層を有する隠蔽用ラベル２５は、一度剥離すると通常の状態では二度とは貼りつかないため、第三者による不正目的をもって視認された場合には第一層目の疑似接着剤層３５の層があるために再度往信時の往復はがき２０に貼りつけることはできず、不正行為への未然の対応をとることができる。
【００１６】
次に、差出人から送られた往信時の隠蔽情報３９を有する往復はがき２０を受領した受取人がその内容を視認して追記するには、第一層目の疑似接着剤層３５と往信時の返信用はがき２２との間で分離して剥離することが望ましいが、擬似接着剤の特性によっては、第一層目の擬似接着剤層３５が上層のフィルム層３５との間で層間剥離を起こし、往信時の返信用はがき２２側のみに積層している場合もあるが、第一層目の疑似接着剤層３５における材質に、表面張力を上げる材質を含ませているため、油性のペンなどにて追記可能としてある。
そのため、往信時と返信時の隠蔽情報を印字する部分を返信用はがき２２の共通の位置とできる。
【００１７】
図３は、返信用はがき２２に記載された返信時の隠蔽情報４０を被覆隠蔽して返信時被覆用ラベル４１を貼着した断面図である。差出人より送付された往復はがき２０の往信時の隠蔽情報３９を受取人である宛名人が確認したことや訂正あるいは追記事項等を返信用はがきの隠蔽情報部分２４に記載して、図２の前記隠蔽用ラベル２５の強粘着剤層３３とフィルム層３４との間から前記返信時被覆用ラベル４１部分を分離して剥離し、返信時の隠蔽情報４０を被覆する隠蔽情報部分２４に貼付する。
【００１８】
図４は、同、返信時被覆用ラベル４１を第二層目の疑似接着剤層３２で分離した状態を示す断面図であり、返信時の隠蔽情報４０を有する返信用はがき２２を受け取った差出人が第二層目の疑似接着剤層３２から分離して剥離したものであって、上層部が第一のラベル部５１と、剥離して分離された第二のラベル部５２と、に分けられる。
すなわち第二のラベル部５２は、強粘着財層３３及び剥離して分離された第二層目の擬似接着剤層３２の下層側分割部と、からなる。
第一のラベル部５１は、基材層３１と、さらに第二層目の疑似接着剤層３２の上層側分割部と、からなる。
したがって、図４に示すように、第二のラベル部５２については、第二層目の擬似接着剤層３２の下層側分割部を通して返信用はがき２２の返信時の隠蔽情報４０の印刷内容４０が視認可能である。
【００１９】
また、返信時被覆用ラベル４１から第二層目の擬似接着剤層３２を分離して切断した状態の第一のラベル部５１は、第二層目の疑似接着剤層３２の層があるために再度第二のラベル部５２に貼り付けることはできず、第二のラベル部５２における返信時の隠蔽情報４０の内容を視認されたことの痕跡が残り、不正行為への未然の対応をとることができる。
したがって、往信時及び返信時の隠蔽情報を郵送可能として第三者による不正目的をもって視認された場合に、痕跡を残し、事前に対策をとることができる。
【００２０】
尚、前記基材層３１には、非透過性の印刷を施すか、あるいは下が透けないように細かい文字を配列して隠蔽情報が透けて見えない材質のものを採用可能である。
【００２１】
また、前記往信時被覆用ラベル４２の基材層には、フィルム層３４を採用したが、ラベル基材の上層面にシリコン剤層を塗布したものを使用してもよい。
【００２２】
また、前記ラベル基材において、その上面には印刷内容を塗布でき、この印刷内容は、本発明の隠蔽用ラベルの使用法を説明した文言を記載してもいいし、また、通信すべき隠蔽情報が多い場合には、はがきという限られた紙面でやり取りする情報量を増やすために、前記往信時被覆用ラベル４２の表面にそれほど隠蔽性を要求されない内容の隠蔽情報を印刷してもよい。
【００２３】
このように構成することによって、隠蔽性の必要に応じた、より多くの情報を通信できる。
【００２４】
【発明の効果】
以上のように本発明によれば、二層の擬似接着剤層を有する構成としたため、往信時及び返信時に、隠蔽情報が第三者に不正に視認されたかがわかり、未然に不正行為を防止することができる。
また、本発明は往信時と返信時の隠蔽情報を印字する部分を共通の位置とできるため、より多くの情報のやりとりができる。
【図面の簡単な説明】
【図１】本発明の実施の形態による隠蔽用ラベル２５を往信時の往復はがき２０の隠蔽情報部分２４に擬似接着した平面図である。
【図２】同、図１のＡ−Ａ線の断面図である。
【図３】同、返信用はがき２２に記載された返信時の隠蔽情報４０を被覆隠蔽して返信時被覆用ラベル４１を貼着した断面図である。
【図４】同、返信時被覆用ラベル４１を第二層目の疑似接着剤層３２で分離した状態を示す断面図である。
【図５】従来の隠蔽用ラベル１を往信用はがき５の隠蔽情報部分に貼付した断面図である。
【図６】同、隠蔽用ラベル１０を往信用はがき１８の隠蔽情報部分に貼付した断面図である。
【符号の説明】
１  隠蔽用ラベル
２  隠蔽シート
３  粘着剤層
４  往信時の隠蔽情報
５  往信用はがき
１０  隠蔽用ラベル
１１  隠蔽シート
１２  粘着剤層
１３  樹脂シート
１４  粘着剤層
１５  樹脂シート
１６  粘着剤層
１７  往信時の隠蔽情報
１８  往信用はがき
２０  往復はがき
２１  往信用はがき
２２  返信用はがき
２３  折線部
２４  隠蔽情報部分
２５  隠蔽用ラベル
３１  基材層
３２  第二層目の擬似接着剤層
３３  強粘着剤層
３４  フィルム層
３５  第一層目の擬似接着剤層
３９  往信時の隠蔽情報
４０  返信時の隠蔽情報
４１  返信時被覆用ラベル
４２  往信時被覆用ラベル
５１  第一のラベル部
５２  第二のラベル部
【図１】
2004322430.tif 000003
【図２】
2004322430.tif 000004
【図３】
2004322430.tif 000005
【図４】
2004322430.tif 000006
【図５】
2004322430.tif 000007
【図６】
2004322430.tif 000008